(57)【要約】  一実施形態に係る基地局は、サブフレームを用いて下りリンクの送信処理を行う制御部を備える。前記サブフレームは、前記サブフレームの先頭部分に位置するメインＰＤＣＣＨ（Ｐｈｙｓｉｃａｌ  Ｄｏｗｎｌｉｎｋ  Ｃｏｎｔｒｏｌ  Ｃｈａｎｎｅｌ）領域と、前記メインＰＤＣＣＨ領域以外のデータ領域と、を含む。前記データ領域は、前記サブフレームの時間長よりも短いショートＴＴＩ（Ｔｒａｎｓｍｉｓｓｉｏｎ  Ｔｉｍｅ  Ｉｎｔｅｒｖａｌ）が適用されるショートＴＴＩ領域を含む。前記ショートＴＴＩ領域は、サブＰＤＣＣＨ領域を含む。前記制御部は、前記サブＰＤＣＣＨ領域を示す情報を前記メインＰＤＣＣＨ領域に配置する。
2017170157.tif 000002
【特許請求の範囲】
【請求項１】
サブフレームを用いて下りリンクの送信処理を行う制御部を備える基地局であって、
前記サブフレームは、前記サブフレームの先頭部分に位置するメインＰＤＣＣＨ（Ｐｈｙｓｉｃａｌ  Ｄｏｗｎｌｉｎｋ  Ｃｏｎｔｒｏｌ  Ｃｈａｎｎｅｌ）領域と、前記メインＰＤＣＣＨ領域以外のデータ領域と、を含み、
前記データ領域は、前記サブフレームの時間長よりも短いショートＴＴＩ（Ｔｒａｎｓｍｉｓｓｉｏｎ  Ｔｉｍｅ  Ｉｎｔｅｒｖａｌ）が適用されるショートＴＴＩ領域を含み、
前記ショートＴＴＩ領域は、サブＰＤＣＣＨ領域を含み、
前記制御部は、前記サブＰＤＣＣＨ領域を示す情報を前記メインＰＤＣＣＨ領域に配置する
基地局。
【請求項２】
前記ショートＴＴＩ領域は、サブＰＤＳＣＨ（Ｐｈｙｓｉｃａｌ  Ｄｏｗｎｌｉｎｋ  Ｓｈａｒｅｄ  Ｃｈａｎｎｅｌ）領域をさらに含み、
前記制御部は、前記サブＰＤＳＣＨ領域を示す情報を前記メインＰＤＣＣＨ領域にさらに配置する
請求項１に記載の基地局。
【請求項３】
サブフレームを用いて下りリンクの送信処理を行う制御部を備える基地局であって、
前記サブフレームは、制御情報が配置されるＰＤＣＣＨ（Ｐｈｙｓｉｃａｌ  Ｄｏｗｎｌｉｎｋ  Ｃｏｎｔｒｏｌ  Ｃｈａｎｎｅｌ）領域を含み、
前記制御部は、前記ＰＤＣＣＨ領域に下りリンクデータをさらに配置し、
前記ＰＤＣＣＨ領域は、前記サブフレームの先頭部分に位置するメインＰＤＣＣＨ領域を含み、
前記サブフレームは、前記メインＰＤＣＣＨ領域以外のデータ領域をさらに含み、
前記データ領域は、前記サブフレームの時間長よりも短いショートＴＴＩ（Ｔｒａｎｓｍｉｓｓｉｏｎ  Ｔｉｍｅ  Ｉｎｔｅｒｖａｌ）が適用されるショートＴＴＩ領域を含み、
前記ＰＤＣＣＨ領域は、前記ショートＴＴＩ領域内に配置されるサブＰＤＣＣＨ領域をさらに含み、
前記制御部は、前記メインＰＤＣＣＨ領域及び前記サブＰＤＣＣＨ領域のうち少なくとも一方に前記下りリンクデータを配置する
基地局。
【請求項４】
前記制御部は、前記ＰＤＣＣＨ領域において、前記制御情報が配置されない空き領域に、前記下りリンクデータを配置する
請求項３に記載の基地局。
【請求項５】
前記制御部は、前記下りリンクデータが配置される割当ＰＤＣＣＨリソースを示す割当情報を前記制御情報に含め、
前記割当ＰＤＣＣＨリソースは、ＣＣＥ（Ｃｏｎｔｒｏｌ  Ｃｈａｎｎｅｌ  Ｅｌｅｍｅｎｔ）単位で構成される
請求項３に記載の基地局。
【請求項６】
サブフレームを用いて下りリンクの送信処理を行う制御部を備える基地局であって、
前記サブフレームは、前記サブフレームの先頭部分に位置するメインＰＤＣＣＨ（Ｐｈｙｓｉｃａｌ  Ｄｏｗｎｌｉｎｋ  Ｃｏｎｔｒｏｌ  Ｃｈａｎｎｅｌ）領域と、前記メインＰＤＣＣＨ領域以外のデータ領域と、を含み、
前記データ領域は、前記サブフレームの時間長よりも短いショートＴＴＩ（Ｔｒａｎｓｍｉｓｓｉｏｎ  Ｔｉｍｅ  Ｉｎｔｅｒｖａｌ）が適用されるショートＴＴＩ領域を含み、
前記ショートＴＴＩ領域は、複数のサブＰＤＳＣＨ（Ｐｈｙｓｉｃａｌ  Ｄｏｗｎｌｉｎｋ  Ｓｈａｒｅｄ  Ｃｈａｎｎｅｌ）領域を含み、
前記制御部は、前記複数のサブＰＤＳＣＨ領域のスケジューリングを１回のＰＤＣＣＨ送信により一括して行う
基地局。
【請求項７】
前記ショートＴＴＩ領域は、サブＰＤＣＣＨ領域を含み、
前記制御部は、前記スケジューリングの結果を示す割当情報を、前記メインＰＤＣＣＨ領域又は前記サブＰＤＣＣＨ領域に配置する
請求項６に記載の基地局。
【請求項８】
前記制御部は、所定の周期で、又は前記スケジューリングを変更する際に、前記割当情報を配置する
請求項６に記載の基地局。
【請求項９】
前記制御部は、前記スケジューリングを変更する際に、変更するスケジューリング内容に関する差分情報のみを前記割当情報として配置する
請求項６に記載の基地局。
【請求項１０】
サブフレームを用いて下りリンクの受信処理を行う制御部を備える無線端末であって、
前記サブフレームは、前記サブフレームの先頭部分に位置するメインＰＤＣＣＨ（Ｐｈｙｓｉｃａｌ  Ｄｏｗｎｌｉｎｋ  Ｃｏｎｔｒｏｌ  Ｃｈａｎｎｅｌ）領域と、前記メインＰＤＣＣＨ領域以外のデータ領域と、を含み、
前記データ領域は、前記サブフレームの時間長よりも短いショートＴＴＩ（Ｔｒａｎｓｍｉｓｓｉｏｎ  Ｔｉｍｅ  Ｉｎｔｅｒｖａｌ）が適用されるショートＴＴＩ領域を含み、
前記ショートＴＴＩ領域は、サブＰＤＣＣＨ領域を含み、
前記サブＰＤＣＣＨ領域を示す情報が前記メインＰＤＣＣＨ領域に配置される場合、前記制御部は、前記情報に基づいて前記サブＰＤＣＣＨ領域を特定する
無線端末。
【請求項１１】
サブフレームを用いて下りリンクの受信処理を行う制御部を備える無線端末であって、
前記サブフレームは、前記サブフレームの先頭部分に位置するメインＰＤＣＣＨ（Ｐｈｙｓｉｃａｌ  Ｄｏｗｎｌｉｎｋ  Ｃｏｎｔｒｏｌ  Ｃｈａｎｎｅｌ）領域と、前記メインＰＤＣＣＨ領域以外のデータ領域と、を含み、
前記データ領域は、前記サブフレームの時間長よりも短いショートＴＴＩ（Ｔｒａｎｓｍｉｓｓｉｏｎ  Ｔｉｍｅ  Ｉｎｔｅｒｖａｌ）が適用されるショートＴＴＩ領域を含み、
前記ショートＴＴＩ領域は、複数のサブＰＤＳＣＨ（Ｐｈｙｓｉｃａｌ  Ｄｏｗｎｌｉｎｋ  Ｓｈａｒｅｄ  Ｃｈａｎｎｅｌ）領域と、少なくとも１つのサブＰＤＣＣＨ領域と、を含み、
前記複数のサブＰＤＳＣＨ領域は、１回のＰＤＣＣＨ送信により一括してスケジューリングされ、
前記制御部は、前記メインＰＤＣＣＨ領域又は前記サブＰＤＣＣＨ領域に配置された割当情報に基づいて前記スケジューリングを特定する
無線端末。
【請求項１２】
サブフレームを用いて下りリンクの受信処理を行う制御部を備える無線端末であって、
前記サブフレームは、制御情報が配置されるＰＤＣＣＨ（Ｐｈｙｓｉｃａｌ  Ｄｏｗｎｌｉｎｋ  Ｃｏｎｔｒｏｌ  Ｃｈａｎｎｅｌ）領域を含み、
前記ＰＤＣＣＨ領域に下りリンクデータがさらに配置される場合、前記制御情報は、前記下りリンクデータが配置される割当ＰＤＣＣＨリソースを示す割当情報を含み、
前記制御部は、前記割当情報に基づいて前記割当ＰＤＣＣＨリソースを特定する
無線端末。
【発明の詳細な説明】
【技術分野】
【０００１】
本発明は、移動通信システムにおいて用いられる基地局及び無線端末に関する。
【背景技術】
【０００２】
近年、第５世代（５Ｇ）移動通信システム向けの技術の研究が進められている。そのような技術の１つとして、レイテンシを低減するために、下りリンクの送信時間間隔（ＴＴＩ：Ｔｒａｎｓｍｉｓｓｉｏｎ  Ｔｉｍｅ  Ｉｎｔｅｒｖａｌ）を短縮する技術が検討されている（例えば、非特許文献１乃至３参照）。【０００３】
現状の３ＧＰＰ（３ｒｄ  Ｇｅｎｅｒａｔｉｏｎ  Ｐａｒｔｎｅｒｓｈｉｐ  Ｐｒｏｊｅｃｔ）・ＬＴＥ（Ｌｏｎｇ  Ｔｅｒｍ  Ｅｖｏｌｕｔｉｏｎ）の仕様において、ＴＴＩは、１サブフレームの時間長、すなわち１ｍｓである。これに対し、上述したＴＴＩ短縮（ＴＴＩ  ｓｈｏｒｔｅｎｉｎｇ）技術においては、１ｍｓ未満のショートＴＴＩが適用されることが想定されている。
【先行技術文献】
【非特許文献】
【０００４】
【非特許文献１】３ＧＰＰ寄書  「Ｒ１−１６０２９２」  ２０１６年２月
【非特許文献２】３ＧＰＰ寄書  「Ｒ１−１６０９６４」  ２０１６年２月
【非特許文献３】３ＧＰＰ寄書  「Ｒ１−１６０９８３」  ２０１６年２月
【発明の概要】
【０００５】
一実施形態に係る基地局は、サブフレームを用いて下りリンクの送信処理を行う制御部を備える。前記サブフレームは、前記サブフレームの先頭部分に位置するメインＰＤＣＣＨ（Ｐｈｙｓｉｃａｌ  Ｄｏｗｎｌｉｎｋ  Ｃｏｎｔｒｏｌ  Ｃｈａｎｎｅｌ）領域と、前記メインＰＤＣＣＨ領域以外のデータ領域と、を含む。前記データ領域は、前記サブフレームの時間長よりも短いショートＴＴＩ（Ｔｒａｎｓｍｉｓｓｉｏｎ  Ｔｉｍｅ  Ｉｎｔｅｒｖａｌ）が適用されるショートＴＴＩ領域を含む。前記ショートＴＴＩ領域は、サブＰＤＣＣＨ領域を含む。前記制御部は、前記サブＰＤＣＣＨ領域を示す情報を前記メインＰＤＣＣＨ領域に配置する。
【０００６】
一実施形態に係る基地局は、サブフレームを用いて下りリンクの送信処理を行う制御部を備える。前記サブフレームは、制御情報が配置されるＰＤＣＣＨ（Ｐｈｙｓｉｃａｌ  Ｄｏｗｎｌｉｎｋ  Ｃｏｎｔｒｏｌ  Ｃｈａｎｎｅｌ）領域を含む。前記制御部は、前記ＰＤＣＣＨ領域に下りリンクデータをさらに配置する。前記ＰＤＣＣＨ領域は、前記サブフレームの先頭部分に位置するメインＰＤＣＣＨ領域を含む。前記サブフレームは、前記メインＰＤＣＣＨ領域以外のデータ領域をさらに含む。前記データ領域は、前記サブフレームの時間長よりも短いショートＴＴＩ（Ｔｒａｎｓｍｉｓｓｉｏｎ  Ｔｉｍｅ  Ｉｎｔｅｒｖａｌ）が適用されるショートＴＴＩ領域を含む。前記ＰＤＣＣＨ領域は、前記ショートＴＴＩ領域内に配置されるサブＰＤＣＣＨ領域をさらに含む。前記制御部は、前記メインＰＤＣＣＨ領域及び前記サブＰＤＣＣＨ領域のうち少なくとも一方に前記下りリンクデータを配置する。
【０００７】
一実施形態に係る基地局は、サブフレームを用いて下りリンクの送信処理を行う制御部を備える。前記サブフレームは、前記サブフレームの先頭部分に位置するメインＰＤＣＣＨ（Ｐｈｙｓｉｃａｌ  Ｄｏｗｎｌｉｎｋ  Ｃｏｎｔｒｏｌ  Ｃｈａｎｎｅｌ）領域と、前記メインＰＤＣＣＨ領域以外のデータ領域と、を含む。前記データ領域は、前記サブフレームの時間長よりも短いショートＴＴＩ（Ｔｒａｎｓｍｉｓｓｉｏｎ  Ｔｉｍｅ  Ｉｎｔｅｒｖａｌ）が適用されるショートＴＴＩ領域を含む。前記ショートＴＴＩ領域は、複数のサブＰＤＳＣＨ（Ｐｈｙｓｉｃａｌ  Ｄｏｗｎｌｉｎｋ  Ｓｈａｒｅｄ  Ｃｈａｎｎｅｌ）領域を含む。前記制御部は、前記複数のサブＰＤＳＣＨ領域のスケジューリングを１回のＰＤＣＣＨ送信により一括して行う。
【０００８】
一実施形態に係る無線端末は、サブフレームを用いて下りリンクの受信処理を行う制御部を備える。前記サブフレームは、前記サブフレームの先頭部分に位置するメインＰＤＣＣＨ（Ｐｈｙｓｉｃａｌ  Ｄｏｗｎｌｉｎｋ  Ｃｏｎｔｒｏｌ  Ｃｈａｎｎｅｌ）領域と、前記メインＰＤＣＣＨ領域以外のデータ領域と、を含む。前記データ領域は、前記サブフレームの時間長よりも短いショートＴＴＩ（Ｔｒａｎｓｍｉｓｓｉｏｎ  Ｔｉｍｅ  Ｉｎｔｅｒｖａｌ）が適用されるショートＴＴＩ領域を含む。前記ショートＴＴＩ領域は、サブＰＤＣＣＨ領域を含む。前記サブＰＤＣＣＨ領域を示す情報が前記メインＰＤＣＣＨ領域に配置される場合、前記制御部は、前記情報に基づいて前記サブＰＤＣＣＨ領域を特定する。
【０００９】
一実施形態に係る無線端末は、サブフレームを用いて下りリンクの受信処理を行う制御部を備える。前記サブフレームは、前記サブフレームの先頭部分に位置するメインＰＤＣＣＨ（Ｐｈｙｓｉｃａｌ  Ｄｏｗｎｌｉｎｋ  Ｃｏｎｔｒｏｌ  Ｃｈａｎｎｅｌ）領域と、前記メインＰＤＣＣＨ領域以外のデータ領域と、を含む。前記データ領域は、前記サブフレームの時間長よりも短いショートＴＴＩ（Ｔｒａｎｓｍｉｓｓｉｏｎ  Ｔｉｍｅ  Ｉｎｔｅｒｖａｌ）が適用されるショートＴＴＩ領域を含む。前記ショートＴＴＩ領域は、複数のサブＰＤＳＣＨ（Ｐｈｙｓｉｃａｌ  Ｄｏｗｎｌｉｎｋ  Ｓｈａｒｅｄ  Ｃｈａｎｎｅｌ）領域と、少なくとも１つのサブＰＤＣＣＨ領域と、を含む。前記複数のサブＰＤＳＣＨ領域は、１回のＰＤＣＣＨ送信により一括してスケジューリングされる。前記制御部は、前記メインＰＤＣＣＨ領域又は前記サブＰＤＣＣＨ領域に配置された割当情報に基づいて前記スケジューリングを特定する。
【００１０】
一実施形態に係る無線端末は、サブフレームを用いて下りリンクの受信処理を行う制御部を備える。前記サブフレームは、制御情報が配置されるＰＤＣＣＨ（Ｐｈｙｓｉｃａｌ  Ｄｏｗｎｌｉｎｋ  Ｃｏｎｔｒｏｌ  Ｃｈａｎｎｅｌ）領域を含む。前記ＰＤＣＣＨ領域に下りリンクデータがさらに配置される場合、前記制御情報は、前記下りリンクデータが配置される割当ＰＤＣＣＨリソースを示す割当情報を含む。前記制御部は、前記割当情報に基づいて前記割当ＰＤＣＣＨリソースを特定する。
【図面の簡単な説明】
【００１１】
【図１】実施形態に係る移動通信システムの構成を示す図である。
【図２】実施形態に係る移動通信システムにおける無線インターフェイスのプロトコルスタックを示す図である。
【図３】実施形態に係る移動通信システムで用いられる無線フレームの構成を示す図である。
【図４】実施形態に係るＵＥ（無線端末）の構成を示す図である。
【図５】実施形態に係るｅＮＢ（基地局）の構成を示す図である。
【図６】実施形態に係るＴＴＩ短縮技術の一例を示す図である。
【図７】第１実施形態に係る動作の一例を示す図である。
【図８】第２実施形態に係る動作の一例を示す図である。
【図９】第３実施形態に係る第１動作例を示す図である。
【図１０】第３実施形態に係る第２動作例を示す図である。
【発明を実施するための形態】
【００１２】
（移動通信システムの構成）
以下において、実施形態に係る移動通信システムの構成について説明する。図１は、実施形態に係る移動通信システムの構成を示す図である。実施形態に係る移動通信システムは、３ＧＰＰ・ＬＴＥに基づく移動通信システムである。
【００１３】
図１に示すように、実施形態に係る移動通信システムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。Ｅ−ＵＴＲＡＮ１０及びＥＰＣ２０は、ＬＴＥシステムのネットワークを構成する。
【００１４】
ＵＥ１００は、無線端末に相当する。ＵＥ１００は、移動型の端末であり、セル（サービングセル）との無線通信を行う。ＵＥ１００の構成については後述する。
【００１５】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００１６】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる他に、ＵＥ１００との無線通信を行う機能を示す用語としても用いられる。
【００１７】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００１８】
図２は、実施形態に係る移動通信システムにおける無線インターフェイスのプロトコルスタックを示す図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００１９】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００２０】
ＭＡＣ層は、データの優先制御、ハイブリッドＡＲＱ（ＨＡＲＱ）による再送処理等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００２１】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００２２】
ＰＤＣＰ層は、ヘッダ圧縮・伸張、及び暗号化・復号化を行う。
【００２３】
ＲＲＣ層は、制御シグナリングを取り扱う制御プレーンでのみ定義される。ＵＥ１００のＲＲＣ層とｅＮＢ２００のＲＲＣ層との間では、各種設定のためのシグナリング（ＲＲＣシグナリング）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードであり、そうでない場合、ＵＥ１００はＲＲＣアイドルモードである。
【００２４】
ＲＲＣ層の上位に位置するＮＡＳ層は、セッション管理及びモビリティ管理等を行う。
【００２５】
図３は、実施形態に係る移動通信システムで用いられる無線フレームの構成を示す図である。
【００２６】
図３に示すように、無線フレームは、時間方向に並ぶ１０個のサブフレームで構成される。各サブフレームは、時間方向に並ぶ２個のスロットで構成される。各サブフレームの時間長は１ｍｓであり、各スロットの時間長は０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる時間・周波数リソースのうち、周波数リソースはリソースブロックにより特定でき、時間リソースはサブフレーム（又はスロット）により特定できる。
【００２７】
図４は、実施形態に係るＵＥ１００（無線端末）の構成を示す図である。図４に示すように、ＵＥ１００は、受信部１１０、送信部１２０、及び制御部１３０を備える。
【００２８】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００２９】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００３０】
制御部１３０は、ＵＥ１００における各種の制御を行う。制御部１３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、上述した各種の処理及び後述する各種の処理を実行する。
【００３１】
図５は、ｅＮＢ２００（基地局）の構成を示す図である。図５に示すように、ｅＮＢ２００は、送信部２１０、受信部２２０、制御部２３０、及びバックホール通信部２４０を備える。
【００３２】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００３３】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００３４】
制御部２３０は、ｅＮＢ２００における各種の制御を行う。制御部２３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、上述した各種の処理及び後述する各種の処理を実行する。
【００３５】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００３６】
（ＴＴＩ短縮技術）
以下において、実施形態に係るＴＴＩ短縮技術について説明する。
【００３７】
図６は、実施形態に係るＴＴＩ短縮技術の一例を示す図である。図６において、横方向は時間（ｔ）を示し、縦方向は周波数（ｆ）を示す。また、図６において、１サブフレームが、時間（ｔ）方向において１４ＯＦＤＭシンボル（ＯＦＤＭシンボル＃０乃至＃１３）により構成される一例を示す。但し、１サブフレームを構成するＯＦＤＭシンボル数は１４に限定されない。なお、１サブフレームは、周波数（ｆ）方向において複数のリソースブロック（ＲＢ）により構成される。
【００３８】
図６に示すように、下りリンクのサブフレームは、メインＰＤＣＣＨ（レガシーＰＤＣＣＨ）領域及びデータ領域を含む。
【００３９】
メインＰＤＣＣＨ領域は、サブフレームの先頭部分に位置する。図６の例において、メインＰＤＣＣＨ領域は、時間方向においてサブフレームの先頭シンボル（＃０）に位置する。但し、メインＰＤＣＣＨ領域を構成するＯＦＤＭシンボル数は、１に限らず、２又は３等であってもよい。メインＰＤＣＣＨ領域は、周波数方向において、システム帯域幅の全体にわたって設けられる。
【００４０】
メインＰＤＣＣＨ領域には、データ領域の割当情報等の制御情報が配置される。制御情報は、データ送受信を制御するための情報である。割当情報は、下りリンクデータ（ＰＤＳＣＨ）の割当リソースブロック及びＭＣＳ等を含む。なお、メインＰＤＣＣＨ領域内のＰＤＣＣＨ割当は、ＣＣＥ（Ｃｏｎｔｒｏｌ  Ｃｈａｎｎｅｌ  Ｅｌｅｍｅｎｔ）と称されるリソース単位で行われる。
【００４１】
データ領域は、メインＰＤＣＣＨ領域以外の領域である。データ領域は、時間方向においてＯＦＤＭシンボル＃１乃至＃１３にわたって設けられる。データ領域は、レガシーＴＴＩ領域及びショートＴＴＩ領域を含む。図６の例において、レガシーＴＴＩ領域及びショートＴＴＩ領域は、周波数分割多重（ＦＤＭ）により多重されている。
【００４２】
レガシーＴＴＩ領域には、サブフレームの時間長（すなわち、１ｍｓ）のＴＴＩが適用される。これに対し、ショートＴＴＩ領域には、サブフレームの時間長よりも短いショートＴＴＩが適用される。図６の例において、ショートＴＴＩは、２ＯＦＤＭシンボルの時間長である。但し、ショートＴＴＩ領域に適用されるＴＴＩは、２ＯＦＤＭシンボルに限らず、３又は４等の時間長であってもよい。なお、ショートＴＴＩをサポートしないＵＥ（すなわち、レガシーＵＥ）は、レガシーＴＴＩ領域に下りリンクデータ（ＰＤＳＣＨ）が割り当てられる。よって、後方互換性が確保される。
【００４３】
ショートＴＴＩ領域は、複数のサブＰＤＣＣＨ（ＳＰＤＣＣＨ）領域及び複数のサブＰＤＳＣＨ（ＳＰＤＳＣＨ）領域を含む。サブＰＤＣＣＨ領域は、ショートＰＤＣＣＨ領域と称されてもよい。サブＰＤＳＣＨ領域は、ショートＰＤＳＣＨ領域と称されてもよい。ＳＰＤＣＣＨ領域及びＳＰＤＳＣＨ領域は、時間分割多重（ＴＤＭ：Ｔｉｍｅ  Ｄｉｖｉｓｉｏｎ  Ｍｕｌｔｉｐｌｅｘ）により多重されている。各ＳＰＤＣＣＨ領域及び各ＳＰＤＳＣＨ領域は、１ＯＦＤＭシンボルの時間長である。図６のショートＴＴＩ領域の例において、ＯＦＤＭシンボル＃２、＃４、＃６、＃８、＃１０、及び＃１２のそれぞれがＳＰＤＣＣＨ領域であり、ＯＦＤＭシンボル＃１、＃３、＃５、＃７、＃９、＃１１、及び＃１３のそれぞれがＳＰＤＳＣＨ領域である。例えば、ＯＦＤＭシンボル＃ｎのＳＰＤＳＣＨ領域は、ＯＦＤＭシンボル＃（ｎ−１）のＳＰＤＣＣＨ領域を用いて割り当てられる。
【００４４】
ここで、ショートＴＴＩ領域を用いた割当の一例を説明する。ｅＮＢ２００は、ＯＦＤＭシンボル＃１のＳＰＤＳＣＨ領域にＵＥ１００＃１の下りリンクデータ（ＰＤＳＣＨ）を割り当て、割り当てたＰＤＳＣＨリソースを示す割当情報をメインＰＤＣＣＨ領域に配置する。割当情報は、通常の割当情報に加えて、割当ＯＦＤＭシンボル＃１を示す情報を含んでもよい。ＵＥ１００＃１は、メインＰＤＣＣＨ領域の復号を行い、自身の割当情報を取得する。ＵＥ１００＃１は、割当情報に基づいて、ＯＦＤＭシンボル＃１のＳＰＤＳＣＨ領域に配置された下りリンクデータの復号を行う。また、ｅＮＢ２００は、ＯＦＤＭシンボル＃３のＳＰＤＳＣＨ領域にＵＥ１００＃２の下りリンクデータ（ＰＤＳＣＨ）を割り当て、割り当てたＰＤＳＣＨリソースを示す割当情報をＯＦＤＭシンボル＃２のＳＰＤＣＣＨ領域に配置する。割当情報は、通常の割当情報に加えて、割当ＯＦＤＭシンボル＃３を示す情報を含んでもよい。ＵＥ１００＃２は、ＯＦＤＭシンボル＃２のＳＰＤＣＣＨ領域の復号を行い、自身の割当情報を取得する。ＵＥ１００＃２は、割当情報に基づいて、ＯＦＤＭシンボル＃３のＳＰＤＳＣＨ領域に配置された下りリンクデータの復号を行う。残りのシンボル区間についても、同様な方法で割当が行われる。
【００４５】
このように、ショートＴＴＩ領域においては、割当情報（ＤＣＩ）の送信及び下りリンクデータの送信を２ＯＦＤＭシンボルの時間内で行うことができるため、レガシーＴＴＩ領域に比べてレイテンシを大幅に低減することができる。しかしながら、ショートＴＴＩ領域は、複数のＳＰＤＣＣＨ領域を含むため、レガシーＴＴＩ領域に比べてＰＤＳＣＨ領域が少なくなる。言い換えると、ショートＴＴＩ領域は、下りリンクデータの送信に用いることが可能な無線リソース（リソースエレメント）が少ないため、無線リソースの利用効率が低くなる。また、ＵＥ１００は、メインＰＤＣＣＨ領域を監視するだけではなく、ＳＰＤＣＣＨ領域も監視しなければならず、ＵＥ１００の負荷及び消費電力が増加する。後述する第１乃至第３実施形態は、このような問題の少なくとも１つを解決する。
【００４６】
（第１実施形態）
以下において、第１実施形態について説明する。以下の各実施形態は、ＴＴＩ短縮技術が導入された移動通信システムを前提とする。
【００４７】
（１）第１実施形態に係る基地局
第１実施形態に係るｅＮＢ２００（基地局）は、サブフレームを用いて下りリンクの送信処理を行う制御部２３０を備える。サブフレームは、制御情報が配置されるＰＤＣＣＨ領域を含む。第１実施形態において、制御部２３０は、ＰＤＣＣＨ領域に下りリンクデータ（ＰＤＳＣＨ）をさらに配置する。具体的には、制御部２３０は、メインＰＤＣＣＨ領域及びＳＰＤＣＣＨ領域のうち少なくとも一方に下りリンクデータを配置する。既存ＬＴＥシステムにおいて、ＰＤＣＣＨ領域には制御情報が配置されるものの、下りリンクデータは配置されないことに留意すべきである。制御部２３０は、ＰＤＣＣＨ領域において、制御情報が配置されない空き領域に、下りリンクデータを配置する。具体的には、空き領域とは、サーチスペースが設定されているが、制御情報が配置されない領域であってもよい。下りリンクデータが配置される割当ＰＤＣＣＨリソースは、ＣＣＥ単位で構成される。言い換えると、ＰＤＣＣＨ領域に含めるＰＤＳＣＨは、ＣＣＥ単位で構成される。これにより、ショートＴＴＩ領域を設ける場合でも、ＰＤＣＣＨ領域を活用して、下りリンクデータの送信に用いることが可能な無線リソース（すなわち、ＰＤＳＣＨリソース）を増やすことができる。具体的には、既存ＰＤＣＣＨ（既存ＤＣＩ）の送信に利用されていないＣＣＥをデータ送信に利用できるとともに、既存ＰＤＣＣＨとの共存が可能である。
【００４８】
制御部２３０は、下りリンクデータが配置される割当ＰＤＣＣＨリソースを示す割当情報を制御情報に含める。例えば、制御部２３０は、新規のＤＣＩフォーマットにより、ＰＤＣＣＨ領域に含めるＰＤＳＣＨの配置（すなわち、ＣＣＥ）を通知する。具体的には、制御部２３０は、割当情報において、１データパケットを構成するＣＣＥインデックスグループを指定する。ＣＣＥインデックスグループは、単独ＣＣＥ又は連続ＣＣＥを指定するインデックスグループであってもよいし、複数ＣＣＥインデックスを直接的に指定するインデックスグループであってもよい。或いは、複数ＣＣＥインデックスの組合せパターンが事前設定されている場合、ＣＣＥインデックスグループは、何れかの組合せパターンを指定するものであってもよい。
【００４９】
（２）第１実施形態に係る無線端末
第１実施形態に係るＵＥ１００（無線端末）は、サブフレームを用いて下りリンクの受信処理を行う制御部１３０を備える。サブフレームは、制御情報が配置されるＰＤＣＣＨ領域を含む。ＰＤＣＣＨ領域に下りリンクデータがさらに配置される場合、制御情報は、下りリンクデータが配置される割当ＰＤＣＣＨリソースを示す割当情報を含む。上述したように、新規のＤＣＩフォーマットにより、ＰＤＣＣＨ領域に含めるＰＤＳＣＨの配置（すなわち、ＣＣＥ）が通知される。制御部１３０は、割当情報に基づいて割当ＰＤＣＣＨリソースを特定し、特定した割当ＰＤＣＣＨリソースに配置された下りリンクデータを受信及び復号する。
【００５０】
（３）第１実施形態に係る動作の一例
図７は、第１実施形態に係る動作の一例を示す図である。ここでは、図６との相違点を主として説明する。
【００５１】
図７に示すように、ショートＴＴＩ領域には、サブフレームの時間長よりも短いショートＴＴＩが適用される。図７の例において、ショートＴＴＩは、３乃至４ＯＦＤＭシンボルの時間長である。ショートＴＴＩ領域は、複数のＳＰＤＣＣＨ領域及び複数のＳＰＤＳＣＨ領域を含む。各ＳＰＤＣＣＨ領域は、１ＯＦＤＭシンボルの時間長である。各ＳＰＤＣＣＨ領域は、２乃至３ＯＦＤＭシンボルの時間長である。図７のショートＴＴＩ領域の例において、ＯＦＤＭシンボル＃１、＃４、＃７、及び＃１０のそれぞれがＳＰＤＣＣＨ領域であり、ＯＦＤＭシンボル＃２乃至＃３、＃５乃至＃６、＃８乃至＃９、及び＃１１乃至＃１３のそれぞれがＳＰＤＳＣＨ領域である。
【００５２】
第１実施形態において、ｅＮＢ２００は、ＯＦＤＭシンボル＃０のメインＰＤＣＣＨ領域に下りリンクデータ（ＰＤＳＣＨ）をさらに配置する。制御部２３０は、メインＰＤＣＣＨ領域において、制御情報が配置されない空き領域に、下りリンクデータを配置する。ＰＤＣＣＨ領域に含めるＰＤＳＣＨは、ＣＣＥ単位で構成される。
【００５３】
第１に、メインＰＤＣＣＨ領域を用いてｅＮＢ２００がＵＥ１００＃１に制御情報及び下りリンクデータを送信するケースを想定する。まず、ｅＮＢ２００は、ＵＥ１００＃１を含む複数のＵＥ１００のそれぞれの制御情報をメインＰＤＣＣＨ領域に配置した場合、制御情報が配置されない空き領域（空きＣＣＥ）が存在するか否かを判断する。ここでは、空き領域が存在すると判断したと仮定して、説明を進める。次に、ｅＮＢ２００は、ＵＥ１００＃１の下りリンクデータを当該空き領域に配置する。また、ｅＮＢ２００は、下りリンクデータが配置される空き領域のＣＣＥインデックスグループをＵＥ１００＃１の制御情報に含めるとともに、当該制御情報をメインＰＤＣＣＨ領域に配置する。なお、ＵＥ１００＃１の制御情報には、ＵＥ１００＃１のＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）でマスキングされたＣＲＣ（Ｃｙｃｌｉｃ  Ｒｅｄｕｎｄａｎｃｙ  Ｃｈｅｃｋ）が付加される。そして、ｅＮＢ２００は、メインＰＤＣＣＨ領域を用いてＵＥ１００＃１に制御情報及び下りリンクデータを送信する。ＵＥ１００＃１は、受信したメインＰＤＣＣＨ領域中の制御情報及び下りリンクデータを一時的に記憶し、自身のサーチスペース内の制御情報のブラインド復号を行う。具体的には、ＵＥ１００＃１は、自身のＣ−ＲＮＴＩを用いてＣＲＣをデマスキングし、ＣＲＣエラーが検出されない場合に、当該ＣＲＣが付加された制御情報を自身の制御情報として取得する。次に、ＵＥ１００＃１は、制御情報から、下りリンクデータが配置されるＣＣＥインデックスグループを取得し、取得したＣＣＥインデックスグループに対応するＣＣＥに配置された下りリンクデータを自身の下りリンクデータとして取得する。ＵＥ１００＃１は、一時的に記憶した制御情報及び下りリンクデータのうち、自身の制御情報及び自身の下りリンクデータ以外のものを破棄する。
【００５４】
第２に、ＯＦＤＭシンボル＃１のＳＰＤＣＣＨ領域を用いてｅＮＢ２００がＵＥ１００＃２に制御情報及び下りリンクデータを送信するケースを想定する。まず、ｅＮＢ２００は、ＵＥ１００＃２を含む複数のＵＥ１００のそれぞれの制御情報をＳＰＤＣＣＨ領域に配置した場合、制御情報が配置されない空き領域（空きＣＣＥ）が存在するか否かを判断する。ここでは、空き領域が存在すると判断したと仮定して、説明を進める。次に、ｅＮＢ２００は、ＵＥ１００＃２の下りリンクデータを当該空き領域に配置する。また、ｅＮＢ２００は、下りリンクデータが配置される空き領域のＣＣＥインデックスグループをＵＥ１００＃２の制御情報に含めるとともに、当該制御情報をＳＰＤＣＣＨ領域に配置する。なお、ＵＥ１００＃２の制御情報には、ＵＥ１００＃２のＣ−ＲＮＴＩでマスキングされたＣＲＣが付加される。そして、ｅＮＢ２００は、ＳＰＤＣＣＨ領域を用いてＵＥ１００＃２に制御情報及び下りリンクデータを送信する。ＵＥ１００＃２は、受信したＳＰＤＣＣＨ領域中の制御情報及び下りリンクデータを一時的に記憶し、自身のサーチスペース内の制御情報のブラインド復号を行う。具体的には、ＵＥ１００＃２は、自身のＣ−ＲＮＴＩを用いてＣＲＣをデマスキングし、ＣＲＣエラーが検出されない場合に、当該ＣＲＣが付加された制御情報を自身の制御情報として取得する。次に、ＵＥ１００＃２は、制御情報から、下りリンクデータが配置されるＣＣＥインデックスグループを取得し、取得したＣＣＥインデックスグループに対応するＣＣＥに配置された下りリンクデータを自身の下りリンクデータとして取得する。ＵＥ１００＃２は、一時的に記憶した制御情報及び下りリンクデータのうち、自身の制御情報及び自身の下りリンクデータ以外のものを破棄する。なお、ＵＥ１００＃２は、サブフレーム＃２及び／又は＃３のＳＰＤＣＣＨ領域の割当ＰＤＳＣＨリソースを示す割当情報が自身の制御情報に含まれる場合、当該割当情報に基づいて割当ＰＤＳＣＨリソースを特定し、割当ＰＤＳＣＨリソースに配置された下りリンクデータを受信して復号する。
【００５５】
（第２実施形態）
以下において、第２実施形態について、第１実施形態との相違点を主として説明する。
【００５６】
（１）第２実施形態に係る基地局
第２実施形態に係るｅＮＢ２００（基地局）は、サブフレームを用いて下りリンクの送信処理を行う制御部２３０を備える。サブフレームは、サブフレームの先頭部分に位置するメインＰＤＣＣＨ領域と、メインＰＤＣＣＨ領域以外のデータ領域と、を含む。データ領域は、サブフレームの時間長よりも短いショートＴＴＩが適用されるショートＴＴＩ領域を含む。ショートＴＴＩ領域は、ＳＰＤＣＣＨ領域を含む。制御部２３０は、ＳＰＤＣＣＨ領域を示す情報（以下、「ＳＰＤＣＣＨ割当情報」という）をメインＰＤＣＣＨ領域に配置する。既存ＬＴＥシステムにおいて、メインＰＤＣＣＨ領域にはＰＤＳＣＨの割当情報が配置されるものの、ＰＤＣＣＨ（ＳＰＤＣＣＨ）の割当情報は配置されないことに留意すべきである。制御部２３０は、ＳＰＤＳＣＨ領域を示す情報（以下、「ＳＰＤＳＣＨ割当情報」という）をメインＰＤＣＣＨ領域にさらに配置してもよい。ＳＰＤＣＣＨ割当情報及びＳＰＤＳＣＨ割当情報のそれぞれは、リソースブロック（ＲＢ）情報、送信ＯＦＤＭシンボル番号、周期、データ長、及びＭＣＳのうち、少なくとも一つを含む。
【００５７】
第２実施形態において、データ領域は、レガシーＴＴＩ領域をさらに含む。制御部２３０は、レガシーＴＴＩ領域を示す情報をメインＰＤＣＣＨ領域にさらに配置してもよい。例えば、レガシーＴＴＩ領域を示す情報は、レガシーＴＴＩ領域の周波数範囲（リソースブロック情報）を含む。
【００５８】
（２）第２実施形態に係る無線端末
第２実施形態に係るＵＥ１００（無線端末）は、サブフレームを用いて下りリンクの受信処理を行う制御部１３０を備える。サブフレームは、サブフレームの先頭部分に位置するメインＰＤＣＣＨ領域と、メインＰＤＣＣＨ領域以外のデータ領域と、を含む。データ領域は、サブフレームの時間長よりも短いショートＴＴＩが適用されるショートＴＴＩ領域を含む。ショートＴＴＩ領域は、ＳＰＤＣＣＨ領域を含む。ＳＰＤＣＣＨ割当情報がメインＰＤＣＣＨ領域に配置される場合、制御部１３０は、ＳＰＤＣＣＨ割当情報に基づいて、監視すべきＳＰＤＣＣＨ領域を特定し、特定したＳＰＤＣＣＨ領域を監視する。
【００５９】
このように、ＵＥ１００は、ＳＰＤＣＣＨ割当情報に基づいて、自身が監視すべきＳＰＤＣＣＨ領域を把握する。ＵＥ１００は、把握したＳＰＤＣＣＨ領域のみを監視すればよいため、ＵＥ１００の負荷及び消費電力を削減することができる。
【００６０】
また、ＳＰＤＳＣＨ割当情報がさらにメインＰＤＣＣＨ領域に配置される場合、制御部１３０は、ＳＰＤＳＣＨ割当情報に基づいてＳＰＤＳＣＨ領域を特定してもよい。また、レガシーＴＴＩ領域を示す情報がさらにメインＰＤＣＣＨ領域に配置される場合、制御部１３０は、当該情報に基づいてレガシーＴＴＩ領域を特定してもよい。
【００６１】
（３）第２実施形態に係る動作の一例
図８は、第２実施形態に係る動作の一例を示す図である。ここでは、図６との相違点を主として説明する。
【００６２】
第２実施形態において、ｅＮＢ２００は、ＯＦＤＭシンボル＃０のメインＰＤＣＣＨ領域に、ＯＦＤＭシンボル＃２、＃４、＃６、＃８、＃１０、及び＃１２のそれぞれのＳＰＤＣＣＨ割当情報を配置する。ＳＰＤＣＣＨ割当情報は、リソースブロック（ＲＢ）情報、送信ＯＦＤＭシンボル番号、周期、データ長、及びＭＣＳのうち、少なくとも一つを含む。ｅＮＢ２００は、ＳＰＤＣＣＨ割当情報をメインＰＤＣＣＨ領域の共通サーチスペース（Ｃｏｍｍｏｎ  Ｓｅａｒｃｈ  Ｓｐａｃｅ）に配置してもよいし、ＵＥ個別サーチスペース（ＵＥ  Ｓｐｅｃｉｆｉｃ  Ｓｅａｒｃｈ  Ｓｐａｃｅ）に配置してもよい。例えばＳＰＤＣＣＨ割当情報を一のＵＥのＵＥ個別サーチスペースに配置する場合、ｅＮＢ２００は、当該一のＵＥに割り当てるＳＰＤＣＣＨ領域のみに限定したＳＰＤＣＣＨ割当情報を当該一のＵＥのＵＥ個別サーチスペースに配置してもよい。この場合、ＯＦＤＭシンボル＃２、＃４、＃６、＃８、＃１０、及び＃１２のうち一部のＯＦＤＭシンボルのＳＰＤＣＣＨ領域のみが当該一のＵＥに通知される。或いは、ｅＮＢ２００は、一のＵＥに割り当てるＳＰＤＳＣＨ領域に限定したＳＰＤＳＣＨ割当情報を当該一のＵＥに直接指定してもよい。
【００６３】
ＵＥ１００は、ＳＰＤＣＣＨ割当情報に基づいて、監視すべきＳＰＤＣＣＨ領域を特定し、特定したＳＰＤＣＣＨ領域を監視する。ＵＥ１００は、監視すべきＳＰＤＣＣＨ領域以外の期間は監視を行わなくてもよい。例えば、一のサブフレームのメインＰＤＣＣＨ領域において受信したＳＰＤＣＣＨ割当情報が、監視すべきＳＰＤＣＣＨ領域が当該一のサブフレーム内に存在しないことを示す場合、制御部１３０は、当該一のサブフレームのデータ領域の期間において監視を行わない。
【００６４】
（第３実施形態）
以下において、第３実施形態について、第１及び第２実施形態との相違点を主として説明する。
【００６５】
（１）第３実施形態に係る基地局
第３実施形態に係るｅＮＢ２００（基地局）は、サブフレームを用いて下りリンクの送信処理を行う制御部２３０を備える。サブフレームは、サブフレームの先頭部分に位置するメインＰＤＣＣＨ領域と、メインＰＤＣＣＨ領域以外のデータ領域と、を含む。データ領域は、サブフレームの時間長よりも短いショートＴＴＩが適用されるショートＴＴＩ領域を含む。ショートＴＴＩ領域は、複数のＳＰＤＳＣＨ領域を含む。制御部２３０は、複数のＳＰＤＳＣＨ領域のスケジューリングを１回のＰＤＣＣＨ送信により一括して行う。以下において、このような複数ＳＰＤＳＣＨ（複数ショートＴＴＩ）の一括スケジューリングをｅＳＰＳ（ｅｎｈａｎｃｅｄ  Ｓｅｍｉ  Ｐｅｒｓｉｓｔｅｎｔ  Ｓｃｈｅｄｕｌｉｎｇ）と称する。既存ＬＴＥシステムにおいて、ＳＰＳは複数サブフレームにわたるスケジューリングに用いられるものの、１サブフレーム内の複数のＳＰＤＳＣＨ領域のスケジューリングには用いられないことに留意すべきである。制御部２３０は、スケジューリングの結果を示すｅＳＰＳ割当情報（ＳＰＤＳＣＨ割当情報）を、メインＰＤＣＣＨ領域又はＳＰＤＣＣＨ領域に配置する。これにより、ショートＴＴＩ領域を設ける場合でも、ＳＰＤＣＣＨ領域を削減することが可能となり、下りリンクデータの送信に用いることが可能な無線リソース（すなわち、ＰＤＳＣＨリソース）を増やすことができる。
【００６６】
第３実施形態において、制御部２３０は、所定の周期で、又はスケジューリングを変更する際に、ｅＳＰＳ割当情報を配置する。制御部２３０は、スケジューリングを変更する際に、変更するスケジューリング内容に関する差分情報のみをｅＳＰＳ割当情報として配置してもよい。これにより、ＳＰＤＣＣＨ領域をさらに削減することが可能となる。変更するスケジューリング内容とは、例えば、リソースブロック（ＲＢ）情報、送信ＯＦＤＭシンボル番号、周期、データ長、及びＭＣＳのうち、少なくとも一つを含む。
【００６７】
（２）第３実施形態に係る無線端末
第３実施形態に係るＵＥ１００（無線端末）は、サブフレームを用いて下りリンクの受信処理を行う制御部１３０を備える。サブフレームは、サブフレームの先頭部分に位置するメインＰＤＣＣＨ領域と、メインＰＤＣＣＨ領域以外のデータ領域と、を含む。データ領域は、サブフレームの時間長よりも短いショートＴＴＩが適用されるショートＴＴＩ領域を含む。ショートＴＴＩ領域は、複数のＳＰＤＳＣＨ領域と、少なくとも１つのＳＰＤＣＣＨ領域と、を含む。制御部１３０は、メインＰＤＣＣＨ領域又はＳＰＤＣＣＨ領域に配置されたｅＳＰＳ割当情報（ＳＰＤＳＣＨ割当情報）に基づいて、複数のＳＰＤＳＣＨ領域のスケジューリングを特定する。
【００６８】
（３）第３実施形態に係る動作の一例
図９は、第３実施形態に係る第１動作例を示す図である。ここでは、図６との相違点を主として説明する。図９において、ｅＮＢ２００と通信する一のＵＥ１００をＵＥ１と表記し、ｅＮＢ２００と通信する他のＵＥ１００をＵＥ２と表記する。
【００６９】
図９に示すように、ｅＮＢ２００は、サブフレーム＃ｘのＯＦＤＭシンボル＃０のメインＰＤＣＣＨ領域に、ＵＥ１の割当ＳＰＤＳＣＨリソースを示すＳＰＤＳＣＨ割当情報及びＵＥ２の割当ＳＰＤＳＣＨリソースを示すＳＰＤＳＣＨ割当情報を配置する。ＳＰＤＳＣＨ割当情報は、リソースブロック（ＲＢ）情報、送信ＯＦＤＭシンボル番号、周期、データ長、及びＭＣＳのうち、少なくとも一つを含む。ＳＰＤＳＣＨ割当情報には、ＳＰＳ  Ｃ−ＲＮＴＩを用いてマスキングされたＣＲＣが付加されてもよい。
【００７０】
図９の例において、ｅＮＢ２００は、ＯＦＤＭシンボル＃１乃至＃３のＳＰＤＳＣＨ領域及びＯＦＤＭシンボル＃７乃至＃９のＳＰＤＳＣＨ領域をＵＥ１に割り当てる。また、ｅＮＢ２００は、ＯＦＤＭシンボル＃４乃至＃６のＳＰＤＳＣＨ領域及びＯＦＤＭシンボル＃１０乃至＃１３のＳＰＤＳＣＨ領域をＵＥ２に割り当てる。
【００７１】
ＵＥ１は、メインＰＤＣＣＨ領域に配置された自身のＳＰＤＳＣＨ割当情報に基づいて、ＯＦＤＭシンボル＃１乃至＃３のＳＰＤＳＣＨ領域及びＯＦＤＭシンボル＃７乃至＃９のＳＰＤＳＣＨ領域を特定し、これらのＳＰＤＳＣＨ領域に配置された自身の下りリンクデータを受信及び復号する。また、ＵＥ２は、メインＰＤＣＣＨ領域に配置された自身のＳＰＤＳＣＨ割当情報に基づいて、ＯＦＤＭシンボル＃４乃至＃６のＳＰＤＳＣＨ領域及びＯＦＤＭシンボル＃１０乃至＃１３のＳＰＤＳＣＨ領域を特定し、これらのＳＰＤＳＣＨ領域に配置された自身の下りリンクデータを受信及び復号する。
【００７２】
図１０は、第３実施形態に係る第２動作例を示す図である。ここでは、上述した動作例１との相違点を説明する。
【００７３】
図１０に示すように、ｅＮＢ２００は、サブフレーム＃ｘのＯＦＤＭシンボル＃４のＳＰＤＣＣＨ領域に、ＵＥ２の割当ＳＰＤＳＣＨリソースを示すＳＰＤＳＣＨ割当情報を配置する。ＳＰＤＳＣＨ割当情報は、リソースブロック（ＲＢ）情報、送信ＯＦＤＭシンボル番号、周期、データ長、及びＭＣＳのうち、少なくとも一つを含む。
【００７４】
図１０の例において、ｅＮＢ２００は、サブフレーム＃ｘについて、ＯＦＤＭシンボル＃５乃至＃６のＳＰＤＳＣＨ領域及びＯＦＤＭシンボル＃１０乃至＃１３のＳＰＤＳＣＨ領域をＵＥ２に割り当てる。また、ｅＮＢ２００は、サブフレーム＃ｘ＋１について、ＯＦＤＭシンボル＃４乃至＃６のＳＰＤＳＣＨ領域及びＯＦＤＭシンボル＃１０乃至＃１３のＳＰＤＳＣＨ領域をＵＥ２に割り当てる。
【００７５】
ｅＮＢ２００は、サブフレーム＃ｘ＋１において、サブフレーム＃ｘでＵＥ２に通知したスケジューリング内容を変更する場合、変更するスケジューリング内容に関する差分情報をＳＰＤＣＣＨ領域に配置する。図１０の例において、サブフレーム＃ｘ＋１のＯＦＤＭシンボル＃４の一部リソースエレメント及びＯＦＤＭシンボル＃１０の一部リソースエレメントがＳＰＤＣＣＨ領域として設定されている。ＵＥ２は、ＳＰＤＣＣＨ領域に配置された差分情報に基づいて、変更するスケジューリング内容を把握する。
【００７６】
（その他の実施形態）
上述した第１乃至第３実施形態を別個独立して実施してもよいし、２以上の実施形態を組み合わせて実施してもよい。２以上の実施形態を組み合わせて実施する場合、一の実施形態の少なくとも一部の構成を他の実施形態の構成に追加又は置換してもよい。
【００７７】
上述した各実施形態において、移動通信システムとしてＬＴＥシステムを例示した。しかしながら、実施形態はＬＴＥシステムに限定されない。ＬＴＥシステム以外のシステムに実施形態を適用してもよい。例えば、第５世代通信システム（５Ｇシステム）に対して実施形態を適用してもよい。
【００７８】
（相互参照）
本願は日本国特許出願第２０１６−０６７６５９号（２０１６年３月３０日出願）の優先権を主張し、その内容の全てが本願明細書に組み込まれている。
【産業上の利用可能性】
【００７９】
本発明は通信分野において有用である。
【図１】
2017170157.tif 000003
【図２】
2017170157.tif 000004
【図３】
2017170157.tif 000005
【図４】
2017170157.tif 000006
【図５】
2017170157.tif 000007
【図６】
2017170157.tif 000008
【図７】
2017170157.tif 000009
【図８】
2017170157.tif 000010
【図９】
2017170157.tif 000011
【図１０】
2017170157.tif 000012
【国際調査報告】
2017170157.tif 000013
2017170157.tif 000014
2017170157.tif 000015
2017170157.tif 000016
2017170157.tif 000017
2017170157.tif 000018
2017170157.tif 000019
2017170157.tif 000020
2017170157.tif 000021